(57)【要約】【課題】コンパクトなボトルのキャップ用の孔開け装置、当該ペットボトルのキャップ用の孔開け装置によって形成された孔を有するペットボトルのキャップを提供する。【解決手段】回動ベース１７を水平面内にて時計回りの方向へ側板１９がストッパ６５に当接するまで回動させて、回動ベース１７が支持部９の上方から退避し、支持部９の上方が開放される開放姿勢とする。上記のように回動ベース１７を開放姿勢とした状態で、キャップ９３を上方から支持部９に載せる。キャップ９３は天板９５が支持部９に載った状態で支持される。開放姿勢では回動ベース１７は支持部９の上方から大きく退避した状態となり、支持部９の上方が完全に開放される。従って、キャップ９３を支持部９に容易に載せることが可能である。【選択図】        図３
2012081547.tif 000002
【特許請求の範囲】
【請求項１】
ペットボトルのキャップの天板に孔を開けるペットボトルのキャップ用の孔開け装置であって、
設置ベースと、前記設置ベースに支持された回動ベースと、前記回動ベースに上下動自在に備えられキャップの天板に孔を開ける刃と、前記刃を上下方向へ駆動させる刃駆動手段と、前記設置ベースに設けられキャップを支持する支持部とを備え、前記回動ベースは設置ベースに対し、前記支持部の上方に位置する対向姿勢と、前記支持部の上方から退避して支持部の上方が開放される開放姿勢とに回動できることを特徴とするペットボトルのキャップ用の孔開け装置。
【請求項２】
請求項１に記載したペットボトルのキャップ用の孔開け装置において、回動ベースを対向姿勢に保持する回動ベース保持手段が備えられていることを特徴とするペットボトルのキャップ用の孔開け装置。
【請求項３】
請求項１または２に記載したペットボトルのキャップ用の孔開け装置において、キャップの天板に形成された孔に挿入するノズルを収容するノズル収容部が設けられていることを特徴とするペットボトルのキャップ用の孔開け装置。
【請求項４】
請求項１または２に記載したペットボトルのキャップ用の孔開け装置によって開けられた孔が形成されていることを特徴とするペットボトルのキャップ。
【発明の詳細な説明】
【技術分野】
【０００１】
本発明はペットボトルのキャップ用の孔開け装置、ペットボトルのキャップに係り、特にノズルを挿入する孔を形成するためのペットボトルのキャップ用の孔開け装置、当該ペットボトルのキャップ用の孔開け装置によって形成された孔を有するペットボトルのキャップに関するものである。
【背景技術】
【０００２】
特許文献１に記載された携帯用局部洗浄器はペットボトルの容器本体にノズル装置を装着して成るものである。このノズル装置は、容器本体の口部に内挿可能で、口部を封止する拡径縮径可能な弾性体と、この弾性体を圧縮して拡径させる拡径手段、操作部を有している。これは、容器本体の口部のサイズが種々あることから、操作部を操作して弾性体を拡径させ、サイズの異なる容器本体の口部に対応して、ノズル装置を容器本体に確実に連結しようとするものである。
【０００３】
しかしながら、このノズル装置では上記のように構造が複雑であり、どうしてもコストの高いものとなり使い捨てにすることができず、繰り返し使用しなければならないので衛生面で問題がある。そればかりか、容器本体の口部に弾性体をぴったり装着するためには操作部を操作しなくてはならず、装着作業が面倒であるという不都合もある。
更に、種々ある容器本体の口部のサイズの全てに対応できないおそれがあり、ペットボトルの本来のキャップと異なり、容器本体の口部と弾性体との間に隙間ができてしまい、この隙間から水漏れが生じる心配もある。
【０００４】
従って、ペットボトルの本来のキャップの天板に孔を開けて、この孔に安価で簡易なノズルを装着できれば、上記問題は一掃されることになる。そこで、特許文献２に記載されたパンチ等を用いて、キャップの天板に孔を開け、この孔にノズルを装着することも考えられる。
【先行技術文献】
【特許文献】
【０００５】
【特許文献１】特開２００８−２９５８４３号公報
【特許文献２】特開２００６−１９８６８４号公報
【発明の概要】
【発明が解決しようとする課題】
【０００６】
しかしながら、キャップは、天板の外周の縁に一体に形成され下方へ延びる周壁部を有しているため、このキャップをレバーハンドルとベースプレートとの間の僅かな隙間に設置することは不可能である。この隙間をあまり大きくしたのでは、装置が大型になるという不都合を生じることになる。
本発明は上記従来の問題点に着目して為されたものであり、コンパクトなボトルのキャップ用の孔開け装置、当該ペットボトルのキャップ用の孔開け装置によって形成された孔を有するペットボトルのキャップの提供を、その目的とする。
【課題を解決するための手段】
【０００７】
本発明は上記課題を解決するためになされたものであり、請求項１の発明は、ペットボトルのキャップの天板に孔を開けるペットボトルのキャップ用の孔開け装置であって、設置ベースと、前記設置ベースに支持された回動ベースと、前記回動ベースに上下動自在に備えられキャップの天板に孔を開ける刃と、前記刃を上下方向へ駆動させる刃駆動手段と、前記設置ベースに設けられキャップを支持する支持部とを備え、前記回動ベースは設置ベースに対し、前記支持部の上方に位置する対向姿勢と、前記支持部の上方から退避して支持部の上方が開放される開放姿勢とに回動できることを特徴とするペットボトルのキャップ用の孔開け装置である。
【０００８】
請求項２の発明は、請求項１に記載したペットボトルのキャップ用の孔開け装置において、回動ベースを対向姿勢に保持する回動ベース保持手段が備えられていることを特徴とするペットボトルのキャップ用の孔開け装置である。
【０００９】
請求項３の発明は、請求項１または２に記載したペットボトルのキャップ用の孔開け装置において、キャップの天板に形成された孔に挿入するノズルを収容するノズル収容部が設けられていることを特徴とするペットボトルのキャップ用の孔開け装置である。
【００１０】
請求項４の発明は、請求項１または２に記載したペットボトルのキャップ用の孔開け装置によって開けられた孔が形成されていることを特徴とするペットボトルのキャップである。
【発明の効果】
【００１１】
本発明のペットボトルのキャップ用の孔開け装置によれば、装置をコンパクトにすることが可能となり、携帯にも便利である。
【図面の簡単な説明】
【００１２】
【図１】本発明の実施の形態に係るペットボトルのキャップ用の孔開け装置の斜視図である。
【図２】図１のペットボトルのキャップ用の孔開け装置の回動ベースを対向姿勢とした状態を示す斜視図である。
【図３】（ａ）は回動ベースを開放姿勢として斜め前方から見たペットボトルのキャップ用の孔開け装置の斜視図であり、（ｂ）は回動ベースを開放姿勢として斜め後方から見たペットボトルのキャップ用の孔開け装置の斜視図である。
【図４】パンチング軸を下降させる様子を示す側面図である。
【図５】キャップに孔を開ける様子を示す側面図である。
【図６】孔が形成されたキャップとノズルの斜視図である。
【図７】（ａ）は局部洗浄器の斜視図であり、（ｂ）はノズルから水が噴射される状態を示す図である。
【発明を実施するための形態】
【００１３】
本発明の実施の形態に係るペットボトルのキャップ用の孔開け装置１を図面にしたがって説明する。
図１において符号３は設置ベースを示し、この設置ベース３の上面には、キャップ設置部５と、このキャップ設置部５よりも一段高い基台部７が設けられている。キャップ設置部５には、比較的高さ寸法の小さい筒状の支持部９が固定されており、この支持部９は上面に開口する孔１１（図３参照）を有している。
【００１４】
基台部７には軸受１３が固定されており、この軸受１３には図１に示すように回動軸１５が回動自在に支持されている。回動軸１５の上端部には回動ベース１７が固定されている。
図２に示すように回動ベース１７は互いに対向する左右一対の側板１９、２１と、これら一対の側板１９、２１の後端部どうしを連結する背面板２３とを有している。一対の側板１９、２１には切欠き２５がそれぞれ形成されており、これらの切欠き２５は前方と下方に開口している。切欠き２５は側板１９、２１の前端から後方に向かって中心部付近まで延びている。
一対の側板１９、２１には、上下方向に延びる長孔３１がそれぞれ形成されている。
【００１５】
符号３３はレバーを示し、このレバー３３は天板３５、この天板３５に連続して形成され互いに対向する左右一対の側板３７、３９、一対の側板３７、３９の前端部（基端部）どうしを連結する前板４１及び一対の側板３７、３９の後端部（先端部）どうしを連結する側板４３から成っている。
レバー３３は、左右一対の側板３７、３９が回動ベース１７の左右一対の側板１９、２１の外側に位置するように備えられている。
【００１６】
符号４５は支持軸を示し、この支持軸４５は、レバー３３の左側板３７、右側板３９、回動ベース１７の一対の側板１９、２１を貫通して、レバー３３と回動ベース１７に取り付けられている。レバー３３は支持軸４５を支点として、先端部が斜め上方を向く開き姿勢（図４に示す姿勢）と、ほぼ水平姿勢となる閉じ姿勢（図５に示す姿勢）とに回動自在に支持されている。
【００１７】
支持軸４５には図示しないトーションバネが設けられており、このトーションバネによってレバー３３が開き姿勢となる方向へ付勢されている。
図４に示すようにレバー３３が開き姿勢の状態では、レバー３３の前板４１の裏面が回動ベース１７の前面に当接し、レバー３３の反時計回りの方向の回動が規制されている。
【００１８】
符号４７は連結部材としての連結軸を示し、この連結軸４７は、レバー３３の左側板３７を貫通し、回動ベース１７の長孔３１を通って、レバー３３の右側板３９を貫通して、レバー３３に取り付けられている。
連結軸４７には上下方向に延びるパンチング軸４９が固定されており、このパンチング軸４９は一対の側板１９、２１間に備えられている。パンチング軸４９は下端部に刃５１を有しており、この刃５１は支持部９の孔１１に対向している。
刃駆動手段はレバー３３、支持軸４５及び連結軸４７によって構成されている。
【００１９】
図３（ｂ）に示すように回動ベース１７の側板２１と背面板２３の下端部には切欠き５３が形成されている。
また、回動ベース１７の後端部には円柱状の嵌合ブロック５５が取り付けられており、この嵌合ブロック５５は一対の側板１９、２１と背面板２３の内側に備えられている。
【００２０】
符号５７は嵌合ストッパを示し、この嵌合ストッパ５７は基台部７の後端部に固定されている。嵌合ストッパ５７は平板を折り曲げてＬ字状に形成され、背面板５９と側板６１から成っている。背面板５９の内側面には凹部６３が形成されている。
回動ベース保持手段は、切欠き５３、嵌合ブロック５５及び嵌合ストッパ５７によって構成されている。
図３（ａ）において符号６５はストッパを示し、このストッパ６５は基台部７の前端部側の左角部に設けられている。
【００２１】
図４に示すようにレバー３３の上面の後端寄りには、後述する保持部材６９の一部が嵌る溝６７が形成されている。
符号６９は保持部材を示し、この保持部材６９は、丸棒を折り曲げてコ字状にし、その両端部を互いに対向する方向へ直角に折り曲げて形成されている。この保持部材６９は、その両端部が設置ベース３の後端部に形成された孔７１にそれぞれ挿入されて、設置ベース３に回動自在に取り付けられている。
【００２２】
図５に示すように設置ベース３にはノズル収容部７３が設けられており、このノズル収容部７３は下側と後側に開口している。
設置ベース３には合成樹脂から成る蓋体７５が設けられており、この蓋体７５は平板部７７と、この平板部７７の周縁に形成された立ち上がり部７９から成っている。平板部７７はノズル収容部７３の下側開口を閉塞している。また、立ち上がり部７９は設置ベース３の下端部に外嵌されており、この立ち上がり部７９の後端部はノズル収容部７３の後側開口の一部を塞いでいる。
蓋体７５にはヒンジ部８１が形成されており、このヒンジ部８１を支点として、蓋体７５の後側の部分は同図の仮想線で示すように開くことができるようになっている。
【００２３】
ノズル収容部７３には、合成樹脂から成るノズル８３が収容されている。
図６に示すようにノズル８３はノズル本体８５とこのノズル本体８５の基端部に形成されたフランジ８７から成っている。ノズル本体８５の先端部は先細り形状に形成されている。この先細り形状の部分の外周面にはノズル本体８５の先端部に向かって下がる方向へ傾斜する平坦部が形成され、平坦部には噴射口９１が形成されている。
符号９３はペットボトルのキャップを示し、このキャップ９３は天板９５と、この天板９５の外周縁に一体に形成され下方へ延びる周壁部９７を有している。
【００２４】
次に、ペットボトルのキャップ用の孔開け装置１の使用方法について説明する。
図１に示すように保持部材６９が溝６７に嵌っており、この保持部材６９によってレバー３３が閉じ姿勢で保持されている。
図１に示す状態から図２に示すように保持部材６９を溝６７から外して矢印の示す方向へ回動させ、保持部材６９によるレバー３３の保持を解除する。するとレバー３３は図示しないトーションバネによって回動させられて開き姿勢となる。
この状態では回動ベース１７は設置ベース３に対し、支持部９の上方に位置する対向姿勢となっている。
【００２５】
対向姿勢となっている回動ベース１７を図３（ａ）（ｂ）に示すように、水平面内にて時計回りの方向へ側板１９がストッパ６５に当接するまで回動させて、回動ベース１７が支持部９の上方から退避し、支持部９の上方が開放される開放姿勢とする。
上記のように回動ベース１７を開放姿勢とした状態で、キャップ９３を上方から支持部９に載せる。キャップ９３は天板９５が支持部９に載った状態で支持される。
上記のように開放姿勢では回動ベース１７は支持部９の上方から大きく退避した状態となり、支持部９の上方が完全に開放される。従って、キャップ９３を支持部９に容易に載せることが可能である。
【００２６】
次いで、回動ベース１７を回動させて、図４に示す対向姿勢とする。この対向姿勢では、図４に示すようにパンチング軸４９の刃５１がキャップ９３の天板９５を挟んで支持部９の孔１１に対向する状態となる。切り欠き５３が嵌合ストッパ５７に嵌合し、且つ嵌合ブロック５５が嵌合ストッパ５７の凹部６３に嵌って、回動ベース１７は対向姿勢に保持される。
【００２７】
そして、レバー３３の上面を押し、支持軸４５を支点として回動させる。これによりパンチング軸４９が下降する。パンチング軸４９に取り付けられた連結軸４７が長孔３１によってガイドされるので、パンチング軸４９は真っ直ぐに下降する。パンチング軸４９が下降すると、刃５１がキャップ９３の天板９５を打ち抜き、支持部９の孔１１に入り込む。これによりキャップ９３の天板９５に円形の孔９９（図６参照）が形成される。
【００２８】
レバー３３から手を離すと、レバー３３は図示しないトーションバネの弾性力によって開き姿勢となる。そして、回動ベース１７を回動させて開放姿勢として、支持部９の上方を開放してから、キャップ９３を支持部９から外す。
このように回動ベース１７を回動させて支持部９の上方を開放することができるので、周壁部９７を有するキャップ９３を支持部９に対して着脱することが可能となる。従って、回動ベース１７の側板１９、２１と支持部９の上面との間の隙間を大きく形成する必要がなくなり、装置をコンパクトにすることができる。
【００２９】
前述したように嵌合ブロック５５が嵌合ストッパ５７の凹部６３に嵌って、回動ベース１７は対向姿勢に保持される。従って、パンチング軸４９の刃５１が支持部９の孔１１に対向する位置からずれてしまうのを防止することができる。
また、図１に示すように保持部材６９によってレバー３３を閉じ姿勢で保持でき、レバー３３が不用意に開いてしまうのを防止できるので、携帯にも便利である。
なお、ノズル収容部７３にはノズル８３を収容しておく。フランジ８７が蓋体７５の立ち上がり部７９に当接するので、ノズル８３がノズル収容部７３の後部側の開口から落ちるのを規制している。
【００３０】
次に、局部洗浄器１０１の組み立て方について説明する。
図５に示すように蓋体７５のヒンジ部８１よりも後側の部分を開いて、ノズル収容部７３に収容されたノズル８３を取り出す。
そして、図６に示すようにノズル８３をキャップ９３の内側から孔９９に挿入して、フランジ８７をキャップ９３の天板９５に当接させる。ノズル８３は、ノズル本体８５の外周面が孔９９の内周面にぴったり嵌る状態でキャップ９３に装着される。次いで、図７（ａ）に示すようにノズル８３が装着されたキャップ９３を、水を入れたペットボトルの容器本体１０３の口部に取り付ける。
【００３１】
そして、容器本体１０３を押すと、図７（ｂ）に一点鎖線で示すように水がノズル８３の噴射口９１から噴射される。噴射口９１は先端部に向かって下がる方向へ傾斜する平坦部に形成されているので、容器本体１０３を倒した姿勢では、噴射口９１から噴射された水は弧を描くように前方へ向かって飛ぶ。
【００３２】
ノズル８３は従来のノズル装置と比べて構造が簡単であり、コストの安いものとなっている。従って、局部洗浄器１０１の使用後には、ノズル８３をキャップ９３と共に捨てることができる。即ち、ノズル８３を使い捨てにすることが可能である。
また、キャップ９３は容器本体１０３に対応する本来のものなので、キャップ９３を容器本体１０３の口部に取り付けた状態では隙間が形成されることがない。従って、水漏れが生じるのを完全に防止することが可能である。
【００３３】
以上、本発明の実施の形態について詳述してきたが、具体的構成は、この実施の形態に限られるものではなく、本発明の要旨を逸脱しない範囲における設計の変更などがあっても発明に含まれる。
上記実施の形態では、刃駆動手段をレバー３３、支持軸４５及び連結軸４７によって構成したが、刃駆動手段は刃を上下方向へ駆動させるものであれば上記構成に限定されない。例えば、刃駆動手段を、ラックとピニオンを用いて構成してもよい。
また、ノズル収容部７３を設置ベース３に設けたが、ノズル収容部７３を回動ベース１７やレバー３３に設けてもよい。
【産業上の利用可能性】
【００３４】
本発明はペットボトルのキャップ用の孔開け装置の製造業に利用可能である。
【符号の説明】
【００３５】
１…ペットボトルのキャップ用の孔開け装置      ３…設置ベース
５…キャップ設置部      ７…基台部      ９…支持部
１１…孔      １３…軸受      １５…回動軸
１７…回動ベース      １９…側板      ２１…側板
２３…背面板      ２５…切欠き
３１…長孔      ３３…レバー
３５…天板      ３７…側板      ３９…側板
４１…前板      ４３…側板      ４５…支持軸
４７…連結軸      ４９…パンチング軸      ５１…刃
５３…切欠き      ５５…嵌合ブロック      ５７…嵌合ストッパ
５９…背面板      ６１…側板      ６３…凹部
６５…ストッパ      ６７…溝      ６９…保持部材
７１…孔      ７３…ノズル収容部      ７５…蓋体
７７…平板部      ７９…立ち上がり部      ８１…ヒンジ部
８３…ノズル      ８５…ノズル本体      ８７…フランジ
９１…噴射口      ９３…キャップ      ９５…天板
９７…周壁部      ９９…孔
１０１…局部洗浄器      １０３…容器本体
【図１】
2012081547.tif 000003
【図２】
2012081547.tif 000004
【図３】
2012081547.tif 000005
【図４】
2012081547.tif 000006
【図５】
2012081547.tif 000007
【図６】
2012081547.tif 000008
【図７】
2012081547.tif 000009